(57)【特許請求の範囲】
【請求項１】
電線の導体と当接する当接片及び前記当接片との間に電線の導体を弾性挟持する鎖錠片からなる速結部を備える速結端子板と、絶縁性を有する合成樹脂から形成され内部に速結端子板が納装されるケースとを具備し、ケースの表面に切り溝を形成することによって、表面から見た形状が略Ｔ字状に形成され縦棒部分の基部がケースに結合されてケースに揺動自在に支持された解除アームを形成し、解除アームの先端部に、鎖錠片に対向配置され解除アームの揺動に応じて鎖錠片を当接片から遠ざかる向きに押圧する解除片を設け、解除アームの先端部を押圧した状態で、解除アームの基部側から先端部側に行くに従ってケースの表面側への突出量が大きくなるように傾斜する傾斜面を解除アームに形成したことを特徴とする端子台。
【請求項２】
解除アームの先端部に対向する切り溝の端面に、解除アームの先端部側に突出する突起を形成したことを特徴とする請求項１記載の端子台。
【請求項３】
前記突起と対向する解除アームの部位に凹所を設けたことを特徴とする請求項２記載の端子台。
【発明の詳細な説明】
【０００１】
【発明の属する技術分野】
本発明は、照明器具などに用いられる端子台に関するものである。
【０００２】
【従来の技術】
この種の端子台としては、図５乃至図７に示されるように、ケース１の内部に複数個の速結端子板４を収納して構成されるものがあった（例えば特開平３−５９９２４号公報参照）。
【０００３】
ケース１は、絶縁性を有する合成樹脂からそれぞれ形成されたボディ２とカバー３とを結合して構成される。ボディ２は上面が開口した略箱状であって、ボディ２には複数個の速結端子板４が一列に並べて取り付けられる。一方、カバー３は下面が開口した略箱状であって、速結端子板４ａ〜４ｃを覆うようにしてボディ２に被着される。
【０００４】
カバー３の上面３ａには電線挿入口１０が複数形成され、この電線挿入口１０に臨むようにして速結端子板４がケース１の内部に配設されており、この電線挿入口１０に被覆の剥かれた電線の芯線を挿入すると、速結端子板４の鎖錠片２４及び接触片３３と当接片２２との間に芯線の導体が挟持され、鎖錠片２４の先端が芯線の導体に食い込むことによって、電線の脱落が防止されるようになっている。
【０００５】
ここで、速結端子板４による電線接続状態を解除するため、カバー３の上面３ａに切り溝３ｃを形成することによって、基部がカバー３に結合されカバー３に揺動自在に支持された略Ｔ字状の解除アーム１７が形成されており、解除アーム１７の先端部には速結端子板４の解除片２４ａに対向配置され、解除アーム１７の揺動に応じて鎖錠片２４を当接片２２から遠ざかる向きに押圧する解除片１７ｃが設けられている。而して、マイナスドライバーなどの工具の先端で解除アーム１７の押圧部１７ａをボディ２側に押し込むと、解除アーム１７の解除片１７ｃによって速結端子板４の解除片２４ａがボディ２側に押圧され、鎖錠片２４が当接片２２から遠ざかる向きに押し撓められるので、電線の接続状態が解除され、当接片２２と鎖錠片２４との間に接続された電線を容易に引き抜くことが出来る（図６参照）。
【０００６】
【発明が解決しようとする課題】
上記構成の端子台では、解除アーム１７が押圧されていない場合（初期状態）、解除アーム１７の押圧部１７ａ表面とカバー３の上面３ａとが略平行になっているので、電線の接続状態を解除する際に例えばマイナスドライバー９０の先端で解除アーム１７の押圧部１７ａをボディ２側に押圧すると、解除アーム１７がカバー３との連結部を支点として揺動し、押圧部１７ａがボディ２側に傾くため、押圧部１７ａの先端部と切り溝３ｃの端面との間の隙間が広くなっていた。ここで、図６に示す状態からマイナスドライバー９０をさらに押し下げていくと、解除アーム１７の押圧部１７ａ表面の傾きと、マイナスドライバー９０の押し込み力とによって、マイナスドライバー９０が押圧部１７ａと切り溝３ｃの端面との間の隙間に入り込むと共に、解除アーム１７の押圧部１７ａが図７中に破線で示すような状態に変形して、電線接続状態を解除できなくなるという問題があった。
【０００７】
本発明は上記問題点に鑑みて為されたものであり、その目的とするところは、電線接続状態の解除操作を確実に行える端子台を提供することにある。
【０００８】
【課題を解決するための手段】
上記目的を達成するために、請求項１の発明では、電線の導体と当接する当接片及び前記当接片との間に電線の導体を弾性挟持する鎖錠片からなる速結部を備える速結端子板と、絶縁性を有する合成樹脂から形成され内部に速結端子板が納装されるケースとを具備し、ケースの表面に切り溝を形成することによって、表面から見た形状が略Ｔ字状に形成され縦棒部分の基部がケースに結合されてケースに揺動自在に支持された解除アームを形成し、解除アームの先端部に、鎖錠片に対向配置され解除アームの揺動に応じて鎖錠片を当接片から遠ざかる向きに押圧する解除片を設け、解除アームの先端部を押圧した状態で、解除アームの基部側から先端部側に行くに従ってケースの表面側への突出量が大きくなるように傾斜する傾斜面を解除アームに形成したことを特徴とし、速結部に接続された電線を取り外す際に、解除アームの先端部を工具で押圧した場合、解除アームを押圧する工具は、解除アームに形成された傾斜面に沿って解除アームの基部側に移動するから、解除アームの先端部と切り溝の端面との間の隙間に工具が入り込むことはなく、工具によって解除アームの先端部を確実に押圧させ、解除アームの解除片によって鎖錠片を当接片から遠ざかる向きに押圧させることができ、速結部に接続された電線の接続状態を確実に解除することができる。しかも、解除アームを押圧する工具が、解除アームの傾斜面に沿って基部側へ移動すると、解除アームの先端部において工具の力が加えられる力点が、解除アームの支点側に移動し、鎖錠片の変位する方向に近付くため、鎖錠片を変位させるのに要する力を低減することができる。
【０００９】
請求項２の発明では、請求項１の発明において、解除アームの先端部に対向する切り溝の端面に、解除アームの先端部側に突出する突起を形成したことを特徴とし、速結部に接続された電線を取り外す際に、解除アームの先端部を工具で押圧した場合、工具が突起に当たることによって、工具が切り溝の端面側に移動するのを規制することができるから、請求項１の発明と同様、解除アームの先端部と切り溝の端面との間の隙間に工具が入り込むことはなく、工具によって解除アームの先端部を確実に押圧させ、解除アームの解除片によって鎖錠片を当接片から遠ざかる向きに押圧させることができるので、速結部に接続された電線の接続状態を確実に解除することができる。
【００１２】
請求項３の発明では、請求項２の発明において、前記突起と対向する解除アームの部位に凹所を設けたことを特徴とし、突起と対向する解除アームの部位に凹所を設けているので、解除アームの先端部と突起が干渉するのを防止できる。
【００１３】
【発明の実施の形態】
本実施形態の端子台について図１乃至図４を参照して説明する。この端子台は例えば天井面に取着される照明器具に取り付けられ、屋内配線された給電線と器具内の電線とを接続するために用いられる。この端子台のケース１は、絶縁性を有する合成樹脂からそれぞれ形成されたボディ２とカバー３とを結合して構成され、内部に３個の速結端子板４ａ〜４ｃが納装される。尚、３個の速結端子板４ａ〜４ｃの内、２個の速結端子板４ａ，４ｂは電源線接続用の端子板であり、速結端子板４ｃはアース線接続用の端子板である。
【００１４】
ボディ２は上面が開口した略箱状であって、底面２ａには速結端子板４ａ〜４ｃを位置決めするためのリブ５が複数突設されており、ボディ２のリブ５に速結端子板４ａ〜４ｃを嵌め込むと、３個の速結端子板４ａ〜４ｃは一列に配置される。一方、カバー３は下面が開口した略箱状であって、速結端子板４ａ〜４ｃを覆うようにしてボディ２に被着される。
【００１５】
カバー３の上面３ａ及び一側面３ｂには、外部より電線の芯線を挿入するための電線挿入口１０，１３が開口し、電線挿入口１３が形成されたカバー３の側面３ｂと対向するボディ２の側面２ｂには、電線挿入口１３に連通する電線挿入口１２が開口しており、この電線挿入口１０，１３に臨むようにして速結端子板４ａ〜４ｃがケース１の内部に収納されている。尚、上面３ａに設けた電線挿入口１０には屋内配線された給電線が接続され、側面３ｂに設けた電線挿入口１３には器具内の電線が接続される。
【００１６】
ここで、速結端子板４ａ〜４ｃの配列方向と略直交する方向において対向するカバー３の一対の側面３ｂにはそれぞれ複数個の係止孔８が穿設され、係止孔８の設けられたカバー３の側面３ｂと対向するボディ２の側面２ｂには、係止孔８に対応する部位に外側に向かって突出する係止突起７が突設されている。而して、ボディ２に速結端子板４ａ〜４ｃを取り付けた状態で、カバー３の開口をボディ２側にしてカバー３をボディ２に押し込むと、ボディ２の係止突起７がカバー３の側面３ｂ内面に当接し、係止突起７によって側面３ｂが外側に押し撓められ、さらにカバー３をボディ２側に押し込むと、カバー３の側面３ｂが係止突起７を乗り越えて、側面３ｂに形成された係止孔８と係止突起７とが凹凸嵌合し、ボディ２とカバー３とが結合される。係止突起７は、カバー３の上面３ａから遠ざかるにつれて外方への突出量が大きくなるような断面形状に形成されており、係止突起７の表面はカバー３の上面３ａ側から遠ざかるにつれて外方への突出量が大きくなるように傾斜しているので、ボディ２とカバー３とを結合する際に、カバー３の開口縁が係止突起７の表面に沿って案内され、係止突起７と係止孔８との嵌合をスムーズに行うことができる。
【００１７】
また、ボディ２の側面２ｂには下方に突出する係止爪１４が突設されており、照明器具の取付板（被固定部）１００に設けられた取付孔１０１に係止爪１４を係止させることによって、ケース１は取付板１００に取り付けられる。尚、ボディ２の底面２ａには下方に突出する位置決め用の突起１５が設けられており、ケース１を取付板１００に取り付ける際に、突起１５を取付板１００に設けた孔１０２に挿入することにより、ケース１の位置決めが行われる。
【００１８】
次にケース１の内部に収納される速結端子板４ａ〜４ｃの構造について簡単に説明する。先ず電源線接続用の速結端子板４ａ，４ｂについて説明する。速結端子板４ａ，４ｂは、それぞれ、２個の導電部材２０，３０をかしめ固定して形成され、速結端子板４ａと速結端子板４ｂとは左右対称な形状に形成される。導電部材２０は導電性を有する板金を折曲加工して形成され、略矩形状の中央片２１と、中央片２１の長手方向における両側辺に突設された断面略円弧状の当接片２２，２２と、中央片２１の短幅方向における一側辺から中央片２１と略直交する方向に突出する突出片２３と、突出片２３の両側縁からそれぞれ当接片２２，２２側に向かって突出する鎖錠片２４，２４と、中央片２１の短幅方向における他側辺に一端が結合された器具線接続部２５とで構成され、導電部材２０は、器具線接続部２５が結合された中央片２１の側辺をボディ２の底面２ａ側とし、中央片２１をボディ２の底面２ａに対して略直交させた状態でボディ２に固定される。尚、鎖錠片２４の先端は当接片２２に近付くにつれてボディ２の底面２ａ側に近付く向きに傾斜しており、鎖錠片２４の先端には鎖錠片２４よりも幅狭の解除片２４ａが連続一体に形成されている。
【００１９】
器具線接続部２５は、ボディ２の底面２ａと略平行に配置され連結片２６ａを介して中央片２１に連結される当接片２６と、当接片２６の端縁から当接片２６と略直交する方向に突出する突出片２７と、突出片２７の一部を切り起こして形成され当接片２６との間に電線の芯線を弾性挟持する一対の鎖錠片２８とで構成される。ここに、当接片２６と鎖錠片２８とで構成される速結部はカバー３の側面３ｂに設けた電線挿入口１３に臨むように配置されている。
【００２０】
また、導電部材３０は導電性を有する板金を折曲加工して形成され、導電部材２０の中央片２１にかしめ固定される固定片３１と、固定片３１と一体に形成され固定片３１と略直交する方向に突出する突出片３２と、突出片３２の両側縁から当接片２２，２２側に向かってそれぞれ突出する接触片３３，３３とで構成される。尚、接触片３３は当接片２２に近付くにつれてボディ２の底面２ａ側に近付く向きに傾斜しており、接触片３３の先端の断面形状は当接片２２側に凸となるような円弧状に形成されている。而して、導電部材３０の固定片３１を導電部材２０の中央片２１にかしめ固定すると、導電部材２０と導電部材３０とが電気的に接続され、導電部材２０の当接片２２に導電部材３０の接触片３３が対向配置され、当接片２２と鎖錠片２４と接触片３３とで構成される速結部はカバー３の上面３ａに設けた電線挿入口１０に臨むように配置される。
【００２１】
一方、アース用の速結端子板４ｃは、導電性を有する板金を折曲加工して形成された導電部材４０を有し、この導電部材４０は、略矩形状の中央片４１と、中央片４１の長手方向における両側辺に突設された断面略円弧状の当接片４２，４２と、中央片４１の短幅方向における一側辺から中央片４１と略直交する方向に突出する突出片４３と、突出片４３の両側縁からそれぞれ当接片４２，４２側に向かって突出する鎖錠片４４，４４とで構成され、導電部材４０は、突出片４３が結合される中央片４１の一側辺をカバー３の上面３ａ側とし、中央片４１をボディ２の底面２ａに対して略直交させた状態でボディ２に固定される。尚、鎖錠片４４は当接片４２に近付くにつれてボディ２の底面２ａ側に近付く向きに傾斜しており、鎖錠片４４の先端には鎖錠片４４よりも幅狭の解除片４４ａが連続一体に形成される。また、当接片４２，４２に対向配置され、当接片４２，４２との間で電線の芯線を保持する接触片（図示せず）が中央片４１の一部を切り起こして形成されており、この接触片と当接片４２と鎖錠片４４とで構成される速結部は、カバー３の上面に設けた電線挿入口１０に臨むように配置される。
【００２２】
また、ボディ２の底面２ａにはアース端子６が裏面から取り付けられており、アース端子６の弾接片６ａはボディ２の底面２ａに設けた開口（図示せず）からボディ２の内部に挿入され、導電部材４０の中央片４１に弾接し、速結端子板４ｃとアース端子６とが電気的に接続される。尚、ケース１を照明器具の取付板１００に固定すると、アース端子６は金属板からなる取付板１００に電気的に接続され、取付板１００が接地される。
【００２３】
速結端子板４ａ〜４ｃに給電用の電線を接続する際は、カバー３の上面３ａに設けた電線挿入口１０に被覆の剥かれた電線の芯線を挿入すると、鎖錠片２４，４４のばね力によって鎖錠片２４，４４及び接触片３３と当接片２２，４２との間に芯線の導体が挟持され、鎖錠片２４，４４の先端が芯線の導体に食い込むことによって、芯線の脱落が防止されるようになっている。
【００２４】
ここで、カバー３の上面３ａに切り溝３ｃを形成することによって、基部がカバー３に結合されカバー３に揺動自在に支持された略Ｔ字状の解除アーム１７が形成されており、解除アーム１７の先端部には、速結端子板４ａ〜４ｃの解除片２４ａ，４４ａに対向配置され、解除アーム１７の揺動に応じて鎖錠片２４，４４を当接片２２，４２から遠ざかる向きに押圧する解除片１７ｃが設けられている。而して、例えばマイナスドライバー９０の先端で解除アーム１７の先端部に設けた押圧部１７ａをボディ２側に押し込むと、解除アーム１７によって解除片２４ａ，４４ａがボディ２側に押圧され、鎖錠片２４，４４が当接片２２，４２から遠ざかる向きに押し撓められるので、電線８０の接続状態が解除され、当接片２２，４２と鎖錠片２４，４４との間に接続された電線８０を容易に引き抜くことが出来る。
【００２５】
ところで、本実施形態では、押圧部１７ａの先端面に対向する切り溝３ｃの端面に押圧部１７ａ側に突出する突起３ｄを突設している。また、押圧部１７ａの表面を解除アーム１７の基部側から先端側に行くに従って、カバー３の上面３ａ側への突出量が大きくなるように形成しており、解除アーム１７が押圧されていない初期状態では、押圧部１７ａの表面は、基部側から先端側に行くに従ってカバー３の上面３ａに近付くように傾斜している。
【００２６】
したがって、電線８０の接続状態を解除する際に、例えばマイナスドライバー９０の先端で解除アーム１７の押圧部１７ａをボディ２側に押圧して、解除アーム１７をボディ２側に押し込んだ場合でも、マイナスドライバー９０の先端が切り溝３ｃの端面に突設された突起３ｄと当接し、切り溝３ｃ側へ移動するのを防止でき、押圧部１７ａと切り溝３ｃの端面との間の隙間内にマイナスドライバー９０が入り込むことはない。しかも押圧部１７ａの表面は基部側から先端側に行くに従ってカバー３の上面３ａに近付くように傾斜しているので、マイナスドライバー９０の先端で押圧部１７ａを押圧すると、押圧部１７ａ表面の傾斜によってマイナスドライバー９０の先端が押圧部１７ａの先端側から基部側に移動するから、マイナスドライバー９０が押圧部１７ａと切り溝３ｃの端面との間の隙間に入り込むのを確実に防止できる。さらに、マイナスドライバー９０の先端が押圧部１７ａの先端側から基部側に移動すると、押圧部１７ａにおいてマイナスドライバー９０の力が加えられる力点が解除アーム１７の支点側に移動し、解除片２４ａ，４４ａの変位する方向（図３中の矢印Ａ）にマイナスドライバー９０の力が加えられるから、鎖錠片２４，４４を変位させるのに要する力を低減できる。尚、突起３ｄに対応する押圧部１７ａの部位には凹所１７ｂを形成しているので、解除アーム１７が揺動する際に、解除アーム１７の押圧部１７ａと突起３ｄとが干渉するのを防止できる。
【００２７】
また、速結端子板４ａ，４ｂに器具内の電線を接続する際は、ボディ２及びカバー３に形成された電線挿入口１２，１３に被覆の剥かれた電線の芯線を挿入すると、鎖錠片２８のばね力によって当接片２６と鎖錠片２８との間に芯線の導体が挟持され、鎖錠片２８の先端が芯線の導体に食い込むことによって、芯線の脱落が防止されるようになっている。
【００２８】
ここで、カバー３の側面３ｂにおける鎖錠片２８の略中央に対応する部位には側面３ｂを貫通する貫通孔１６が穿設されており、この貫通孔１６に棒状の工具を挿入して鎖錠片２８を押圧すると、鎖錠片２８の先端が当接片２６から遠ざかる方向に鎖錠片２８が押し撓められ、電線の接続状態が解除されるので、当接片２６と鎖錠片２８との間に接続された電線を容易に引き抜くことが出来る。
【００２９】
【発明の効果】
上述のように、請求項１の発明は、電線の導体と当接する当接片及び前記当接片との間に電線の導体を弾性挟持する鎖錠片からなる速結部を備える速結端子板と、絶縁性を有する合成樹脂から形成され内部に速結端子板が納装されるケースとを具備し、ケースの表面に切り溝を形成することによって、表面から見た形状が略Ｔ字状に形成され縦棒部分の基部がケースに結合されてケースに揺動自在に支持された解除アームを形成し、解除アームの先端部に、鎖錠片に対向配置され解除アームの揺動に応じて鎖錠片を当接片から遠ざかる向きに押圧する解除片を設け、解除アームの先端部を押圧した状態で、解除アームの基部側から先端部側に行くに従ってケースの表面側への突出量が大きくなるように傾斜する傾斜面を解除アームに形成したことを特徴とし、速結部に接続された電線を取り外す際に、解除アームの先端部を工具で押圧した場合、解除アームを押圧する工具は、解除アームに形成された傾斜面に沿って解除アームの基部側に移動するから、解除アームの先端部と切り溝の端面との間の隙間に工具が入り込むことはなく、工具によって解除アームの先端部を確実に押圧させ、解除アームの解除片によって鎖錠片を当接片から遠ざかる向きに押圧させることができ、速結部に接続された電線の接続状態を確実に解除できるという効果がある。しかも、解除アームを押圧する工具が、解除アームの傾斜面に沿って基部側へ移動すると、解除アームの先端部において工具の力が加えられる力点が、解除アームの支点側に移動し、鎖錠片の変位する方向に近付くため、鎖錠片を変位させるのに要する力を低減できるという効果もある。
【００３０】
請求項２の発明は、請求項１の発明において、解除アームの先端部に対向する切り溝の端面に、解除アームの先端部側に突出する突起を形成したことを特徴とし、速結部に接続された電線を取り外す際に、解除アームの先端部を工具で押圧した場合、工具が突起に当たることによって、工具が切り溝の端面側に移動するのを規制することができるから、請求項１の発明と同様、解除アームの先端部と切り溝の端面との間の隙間に工具が入り込むことはなく、工具によって解除アームの先端部を確実に押圧させ、解除アームの解除片によって鎖錠片を当接片から遠ざかる向きに押圧させることができるので、速結部に接続された電線の接続状態を確実に解除できるという効果がある。
【００３３】
請求項３の発明は、請求項２の発明において、前記突起と対向する解除アームの部位に凹所を設けたことを特徴とし、突起と対向する解除アームの部位に凹所を設けているので、解除アームの先端部と突起が干渉するのを防止できるという効果がある。
【図面の簡単な説明】
【図１】本実施形態の端子台を示し、（ａ）は上面図、（ｂ）は要部拡大図である。
【図２】同上の側断面図である。
【図３】同上の側断面図である。
【図４】同上の分解斜視図である。
【図５】従来の端子台を示し、（ａ）は上面図、（ｂ）は要部拡大図である。
【図６】同上の側断面図である。
【図７】同上の側断面図である。
【符号の説明】
１    ケース
３    カバー
３ａ  上面
３ｃ  切り溝
３ｄ  突起
１０  電線挿入口
１７  解除アーム
１７ａ  押圧部
【図１】
0003760071.tif 000002
【図２】
0003760071.tif 000003
【図３】
0003760071.tif 000004
【図４】
0003760071.tif 000005
【図５】
0003760071.tif 000006
【図６】
0003760071.tif 000007
【図７】
0003760071.tif 000008